(57)【要約】【課題】電線接続部への電線接続が規制された状態にあるのか、電線接続が許容された状態にあるのかを識別し易くし、電線接続作業の作業性を向上させた配線器具の電線接続部を提供する。【解決手段】配線器具の筐体１に形成された電線接続部２に、電線接続部２への電線接続を阻止する規制位置と、電線接続を許容する許容位置との間を移動する電線受け部材９を設けた。電線受け部材９大きくかつ筐体１の外部に露出しているため、その位置を判別し易く、電線接続作業の作業性を向上させることができる。電線受け部材９は配線器具を機器取付板に固定する抜け止め部材を一体に備えたものとすることができる。【選択図】図１
2016207283.tif 000002
【特許請求の範囲】
【請求項１】
配線器具の筐体に、電線接続部への電線接続を阻止する規制位置と、電線接続を許容する許容位置との間を移動する電線受け部材を設けたことを特徴とする配線器具の電線接続部。
【請求項２】
前記電線受け部材は、配線器具を機器取付板に固定する抜け止め部材を一体に備えたものであることを特徴とする請求項１記載の配線器具の電線接続部。
【請求項３】
前記電線接続部は筐体に複数個形成されており、それらのうち一つを除く他の電線接続部に前記電線受け部材を設けたことを特徴とする請求項１記載の配線器具の電線接続部。
【請求項４】
前記電線受け部材の色を、配線器具の筐体とは異なる色としたことを特徴とする請求項１記載の配線器具の電線接続部。
【発明の詳細な説明】
【技術分野】
【０００１】
本発明は、配線用遮断器や端子台などの配線器具の電線接続部に関するものである。
【背景技術】
【０００２】
配線用遮断器や端子台などの配線器具には、電線接続部が形成されている。比較的小型の配線器具の電線接続にはねじなし端子が多用されており、この場合の電線接続部は電線挿入孔である。
【０００３】
配線用遮断器や端子台などの配線器具は、その底面を機器取付板に密着させて取付けられ、抜け止め部材により固定されている。電線の接続は配線器具が機器取付板に確実に固定された状態で行うことが望ましい。このため特許文献１に示すように、配線器具を機器取付板に固定する抜け止め部材の上端を電線挿入孔の近傍まで延ばし、抜け止め部材が下方のロック位置にあるときには電線挿入孔を開いて電線挿入を可能とし、抜け止め部材が上方のアンロック位置にあるときには電線挿入孔を塞いで電線挿入を不能にした構造が実用化されている。
【０００４】
しかしこの特許文献１の構造では、抜け止め部材の上端を電線挿入孔の内部に出没させているため、その部分を小型にしなければならない。従って抜け止め部材が電線接続を許容する位置にあるのか、規制する位置にあるのかが作業者から識別しにくく、電線接続作業の作業性が悪いという問題があった。
【先行技術文献】
【特許文献】
【０００５】
【特許文献１】特開２００３−２７２５０２号公報
【発明の概要】
【発明が解決しようとする課題】
【０００６】
従って本発明の目的は上記した従来の問題点を解決し、電線接続部への電線接続が規制された状態にあるのか、電線接続が許容された状態にあるのかを識別し易くし、電線接続作業の作業性を向上させた配線器具の電線接続部を提供することである。
【課題を解決するための手段】
【０００７】
上記の課題を解決するためになされた本発明の配線器具の電線接続部は、配線器具の筐体に、電線接続部への電線接続を阻止する規制位置と、電線接続を許容する許容位置との間を移動する電線受け部材を設けたことを特徴とするものである。
【０００８】
なお請求項２のように、前記電線受け部材は、配線器具を機器取付板に固定する抜け止め部材を一体に備えたものとすることができる。また請求項３のように、前記電線接続部は筐体に複数個形成されており、それらのうち一つを除く他の電線接続部に前記電線受け部材を設けた構造とすることができる。さらに請求項４のように、前記電線受け部材を配線器具の筐体とは異なる色とすることが好ましい。
【発明の効果】
【０００９】
本発明においては、筐体の外側で電線を受ける電線受け部材により電線接続部への電線接続を阻止する構造とした。この電線受け部材は特許文献１に示された電線挿入孔の内部に出没する抜け止め部材よりも大きくかつ外部に露出しているため、その位置を判別し易い。従って電線接続作業の作業性を向上させることができる。
【００１０】
請求項２の発明においては、電線受け部材と抜け止め部材とを一体としたので、電線接続を許容する許容位置に電線受け部材を動かすことによって、抜け止め部材を下方のロック位置とすることができ、抜け止め部材を上方のアンロック位置に動かした場合には電線挿入を規制することができる。
【００１１】
請求項３の発明においては、筐体に複数個形成された電線接続部のうち、一つを除く他の電線接続部に前記電線受け部材を設けた。従って一つの電線接続部は、開口されたままとなる。しかし２極の場合には両方に電線が接続されない限り配線器具は通電状態とならず、３極の場合には２極に電線が接続されない限り配線器具は通電状態とならないので、安全である。
【００１２】
請求項４の発明においては、電線受け部材を配線器具の筐体とは異なる色としたので識別性を向上させることができる。また電線受け部材の色を電線の色と合せておけば、配線間違いを防止することができる。
【図面の簡単な説明】
【００１３】
【図１】電線受け部材を許容位置とした状態を示す外観斜視図である。
【図２】電線受け部材を許容位置とした状態を示す縦断面図である。
【図３】電線受け部材を許容位置とした状態を示す内部の斜視図である。
【図４】機器取付板への取付状態を示す断面図である。
【図５】電線受け部材を規制位置とした状態を示す外観斜視図である。
【図６】電線受け部材を規制位置とした状態を示す縦断面図である。
【図７】電線受け部材を規制位置とした状態を示す内部の斜視図である。
【発明を実施するための形態】
【００１４】
以下に本発明の実施形態を示す。
図１において、１は配線器具の筐体であり、この実施形態の配線器具は薄型の配線用遮断器である。この筐体１の負荷側の電線接続部２は上下ともねじなし端子であり、電線挿入口３，４が形成されている。ただし本発明における電線接続部２は、必ずしもねじなし端子に限定されるものではない。
【００１５】
図２の縦断面図に示されるように、本実施形態の筐体１の端面は、下部が垂直面５であり上部が傾斜面６となっており、電線挿入口３を傾斜面６に形成し、電線挿入口４を垂直面５に形成してある。傾斜面６に両方の電線挿入口３，４を形成すると、筐体１の長手寸法が大きくなるためである。傾斜面６に開口した電線挿入口３は図２の上方側、すなわちハンドル７が設けられた上方側から電線８の電線接続作業を行なう場合にもその位置が視認可能である。しかし垂直面５に形成された電線挿入口４は上方側からはその位置を視認しにくいため、以下に説明する電線受け部材９を設け、作業環境が暗い場合にも電線１０を挿入し易くしてある。
【００１６】
図１に示されるように、電線受け部材９は凹状の電線受け口１１を筐体１の垂直面５から突設したものである。電線受け部材９が図１〜図４に示した下方位置にあるとき、電線受け口１１は電線挿入口４と一致する高さにある。このとき電線挿入口４は開放された状態となり、電線受け口１１に沿って電線１０を挿入すれば、自然に電線挿入口４に導かれるようになっている。従って下方位置が電線接続部２への電線接続を許容する許容位置である。このような電線受け口１１を設ければ、暗い場所であっても手探りで電線挿入孔４の位置をすばやく認識することができ、電線１０の挿入が容易となる。
【００１７】
電線受け部材９は筐体１とは異なる色としておくことが好ましい。本実施形態では筐体１は白色であり、電線受け部材９は黒色である。電線８の被覆は白色、電線１０の被覆は黒色であるため、電線１０を同色の電線受け部材９に挿入することにより、配線間違いを防止することができる。
【００１８】
図２、図３に示すように、この電線受け部材９は上端部に電線受け口１１を備え、その下部は筐体１の内部に入り込んだ垂直な連結部１２となっている。この連結部１２が筐体１にスライド可能に支持されているので、電線受け部材９を筐体１の前記垂直面５に沿って昇降させることができる。連結部１１の下方には、抜け止め部材１３が一体に形成されている。
【００１９】
抜け止め部材１３は配線器具の筐体１を図４に示す機器取付板１４に固定する役割を持つ。すなわち、筐体１は機器取付板１４に対して長手方向（図４の左右方向）にスライドさせることによって着脱されるものであるが、電線受け部材９とともに抜け止め部材１３を下方位置とすると、図４に示すように抜け止め部材１３の下端が機器取付板１４の係合孔１５に挿入されてスライドを不能とし、筐体１は機器取付板１４から取外すことができないロック状態となる。
【００２０】
上記のように、電線受け部材９と抜け止め部材１３とが下方位置（許容位置）にあり、筐体１が機器取付板１４にロックされた状態にあるとき、電線受け部材９の電線受け口１１は電線挿入口４を開放するので、電線１０の挿入・接続が可能である。しかし電線受け部材９を図５〜図７のように上方に移動させてアンロック状態とすると、電線受け部材９の電線受け口１１が電線挿入口４の外側を覆い、電線１０の挿入・接続が不可能となる。従って上方位置が電線接続部２への電線接続を阻止する規制位置となる。このように、筐体１を機器取付板１４にロックした状態としなければ、電線１０の接続を行なうことができない。なお、電線受け部材９の連結部１２には上下の２位置で連結部１２を筐体に保持できる弾性係合片（図示せず）を当接させ、上下何れかの位置を保持できるようにしてある。
【００２１】
本発明によれば、筐体１の外側で電線挿入口４よりも大きい電線受け部材９を動かす構造としたので、従来の電線挿入口４の内部に電線挿入規制片を出没させる構造に比べて視認性が高まり、その位置の判別がし易くなり、電線接続作業の作業性が高まる。
【００２２】
なお、この実施形態では下側の電線挿入口４だけを電線受け部材９によって規制する構造としたが、上下両方の電線挿入口３，４を規制するようにしてもよく、上側の電線挿入口３だけを電線受け部材９によって規制するようにしてもよい。しかし抜け止め部材１３が下部に位置するため、下側の電線挿入口４だけ、または上下両方の電線挿入口３，４を規制することが好ましい。
【００２３】
通常、電線接続部２は筐体１に複数個形成されているが、好ましい実施形態においては、それらのうち少なくとも一つを除く他の電線接続部２を電線受け部材９により規制すればよく、必ずしも全ての電線接続部２を電線受け部材９によって規制する必要はない。２極の場合には少なくとも一方の電線接続部２を電線受け部材９によって規制すればよく、３極の場合には少なくとも２つの電線接続部２を電線受け部材９によって規制する。３極の場合、一つを規制しただけでは、Ｌ１，Ｌ２，Ｎの３極のうちの２つに電線を接続すると通電状態となるからである。
【００２４】
本実施形態では、２つの電線挿入口３，４が筐体１の上下に配置されているが、筐体１の幅方向に配置することもできる。その場合にも、一つを除く他の電線接続部２を電線受け部材９によって規制すればよい。
【００２５】
なお図１〜３に示すように、垂直面５の外側には内部に測定用電極が収納された隔壁１７が設けられており、この測定用電極は下部の端子部１８に連通している。上下に電極を配置した場合、上部端子の測定用電極は上側から操作し易い位置にあるが、下部端子の測定用電極はアクセスしにくい位置となる。しかし本実施形態では、筐体１の側面下部に測定用電極を設けてこの問題を解決している。
【００２６】
以上に説明したように、本発明によれば筐体１に電線接続部２への電線接続を阻止する規制位置と、電線接続を許容する許容位置との間を移動する電線受け部材９を設けたので、作業者から電線接続部２が規制状態にあるのか、許容状態にあるのかを識別し易くし、電線接続作業の作業性を向上させることができる。
【符号の説明】
【００２７】
１  筐体
２  電線接続部
３  電線挿入口
４  電線挿入口
５  垂直面
６  傾斜面
７  ハンドル
８  電線
９  電線受け部材
１０  電線
１１  電線受け口
１２  連結部
１３  抜け止め部材
１４  機器取付板
１５  係合孔
１６  弾性係合片
１７  隔壁
１８  下部の端子部
【図１】
2016207283.tif 000003
【図２】
2016207283.tif 000004
【図３】
2016207283.tif 000005
【図４】
2016207283.tif 000006
【図５】
2016207283.tif 000007
【図６】
2016207283.tif 000008
【図７】
2016207283.tif 000009